(57)【要約】【課題】  バックミラーを車両のルーフコンソールに設けると共に、車両のルーフコンソールに設けられている室内灯を使用している場合に光がバックミラーに反射することのない車両のルーフコンソールを提供する。【解決手段】  車室天井部Ｂの車両前方側に装着され第１収納部12が形成され室内灯48が設けられている車両Ａのルーフコンソール10において、室内灯48の車両後方側のルーフコンソール本体11における部位に補助バックミラー34が設けられている。従って、乗員が補助バックミラー34を使用する際における視線移動を少なくすることができると共に、車両Ａのルーフコンソール10に設けられている室内灯48を使用している場合に光が補助バックミラー34に反射することがなく補助バックミラー34の良好な使用を確保することができる。【選択図】        図２
2005313699.tif 000002
【特許請求の範囲】
【請求項１】
車室天井部の車両前方側に装着され収納部が形成されている車両のルーフコンソールであって、
室内灯の車両後方側のルーフコンソール本体における部位にバックミラーが設けられていることを特徴とする車両のルーフコンソール。
【請求項２】
前記バックミラーは、車両後席部を確認するための補助バックミラーであると共に、車両後方を確認するための車両バックミラーに対して鏡面の曲率が小さく形成されていることを特徴とする請求項１記載の車両のルーフコンソール。
【請求項３】
前記バックミラーは、ルーフコンソール本体に移動可能に設けられていることを特徴とする請求項１又は２記載の車両のルーフコンソール。
【発明の詳細な説明】
【技術分野】
【０００１】
本発明は、車室天井部の車両前方側に装着され収納部が形成されている車両のルーフコンソールに関する。
【背景技術】
【０００２】
従来、車室天井面の前側より中央部にはオーバーヘッドコンソール（ルーフコンソール）が装着されている。前記オーバーヘッドコンソールのボックス本体（ルーフコンソール本体）には、その後側部に小物収納室（収納部）が形成され、その小物収納室の開口部には開閉蓋がヒンジ機構によって開閉可能に組み付けられている。開閉蓋の内側にはメガネが収納保持されるポケット部が形成され、そのポケット部には、チケットやカード等のカード類が保持されるカードホルダー部がそれぞれ形成されている。また、ボックス本体の中央部には照明ランプ（室内灯）が内設されたランプ収納室が形成され、そのランプ収納室の開口部には照明レンズが組み付けられている。前記ボックス本体の前部にはバックミラーがボックス本体と一体状に設けられている。前記ボックス本体の前部には、そのバックミラーの背面とフロントガラスとの間のスペース内において、中空の薄箱状をなすアンテナ体が延出されている。前記アンテナ体は、合成樹脂等の電波透過性材料より形成されている。前記アンテナ体の内部には、導体よりなる平面状のアンテナエレメントが収納されている。以上のように車両用アンテナ装置としての機能を有するオーバーヘッドコンソールが知られている（特許文献１参照）。当該オーバーヘッドコンソールによれば、車室内の美観を損なうことなくかつアンテナ性能を低下させることなく車室内に対し車両用アンテナ装置を設けることができる。
【特許文献１】特開平１０−３２４１９６号公報
【発明の開示】
【発明が解決しようとする課題】
【０００３】
しかしながら、上述の従来技術である車両のルーフコンソールでは、バックミラーが室内灯の車両前方側に設けられているため、室内灯を使用している場合に光がバックミラーに反射してバックミラーの良好な使用ができないという課題がある。
【０００４】
本発明は、上記のような状況を鑑みてなされたもので、バックミラーを車両のルーフコンソールに設けると共に、車両のルーフコンソールに設けられている室内灯を使用している場合に光がバックミラーに反射することのない車両のルーフコンソールを提供することを目的とする。
【課題を解決するための手段】
【０００５】
前述の課題を解決するため、本発明に係る車両のルーフコンソールは、次のような手段を採用する。
【０００６】
即ち、請求項１記載の発明の車両のルーフコンソールは、車室天井部の車両前方側に装着され収納部が形成されている車両のルーフコンソールであって、室内灯の車両後方側のルーフコンソール本体における部位にバックミラーが設けられていることを特徴とする。
【０００７】
また、請求項２記載の発明の車両のルーフコンソールは、請求項１記載の発明において、前記バックミラーは、車両後席部を確認するための補助バックミラーであると共に、車両後方を確認するための車両バックミラーに対して鏡面の曲率が小さく形成されていることを特徴とする。
【０００８】
また、請求項３記載の発明の車両のルーフコンソールは、請求項１又は２記載の発明において、前記バックミラーは、ルーフコンソール本体に移動可能に設けられていることを特徴とする。
【発明の効果】
【０００９】
請求項１記載の発明の車両のルーフコンソールによれば、車室天井部の車両前方側に装着され収納部が形成されている車両のルーフコンソールであって、室内灯の車両後方側のルーフコンソール本体における部位にバックミラーが設けられているため、乗員がバックミラーを使用する際における視線移動を少なくすることができると共に、車両のルーフコンソールに設けられている室内灯を使用している場合に光がバックミラーに反射することがなくバックミラーの良好な使用を確保することができる。
【００１０】
また、請求項２記載の発明の車両のルーフコンソールによれば、バックミラーは、車両後席部を確認するための補助バックミラーであると共に、車両後方を確認するための車両バックミラーに対して鏡面の曲率が小さく形成されているため、車両後席部を容易に確認することができると共に、小さい鏡面で広範囲の視野を得ることができてバックミラーのコンパクト化を図ることができる。
【００１１】
また、請求項３記載の発明の車両のルーフコンソールによれば、バックミラーは、ルーフコンソール本体に移動可能に設けられているため、バックミラーの不使用時にはバックミラーを移動して室内空間に対してバックミラーによる突出部が形成されることをなくすことができる。
【発明を実施するための最良の形態】
【００１２】
以下、本発明に係る車両のルーフコンソールの実施形態を図面に基づいて説明する。図１乃至図３０は、本発明に係る車両のルーフコンソールの一実施形態を説明する図である。
【００１３】
図１は、本実施形態のルーフコンソール10が車両Ａに搭載されている状態を示す斜視図である。ルーフコンソール10は、車両Ａの車室天井部Ｂの車両前方側に装着されている。
【００１４】
図２は、本実施形態のルーフコンソール10の縦断面図である。図３は、本実施形態のルーフコンソール10の車室から上方を視た場合の平面図である。ルーフコンソール10は、平面視で略矩形状に形成されている。ルーフコンソール10は、ルーフコンソール本体11を備えている。ルーフコンソール本体11の車両後方側には、第１収納部12が形成されている。第１収納部12は、下面部が開口可能である略矩形箱状に形成されている。第１収納部12は、下面部を開口する略矩形箱状に形成されている第１収納部本体14、及び第１収納部12の下面部である上面部を開口する略矩形箱状に形成されている第１蓋体16とから構成されている。第１収納部12には、第１蓋体16の前端部の移動量に対して後端部の移動量が大きくなると共に緩衝的に下方に移動しながら回動するようにダンパー18が左右両端部に長手方向が前後方向となるように設けられている。第１収納部12のダンパー18は、長尺円筒状のシリンダー20、及びシリンダー20内を緩衝的に長手方向に移動する長尺円柱状のロッド22から構成されている。ダンパー18のシリンダー20の前端部は、第１収納部本体14の側部内面に固定されている。ダンパー18のロッド22の後端部は、第１蓋体16の側部内面に固定されている。第１収納部12の第１蓋体16には、第１収納部本体14の開口部を閉じるように第１収納部本体14に第１蓋体16を係止すると共に、第１収納部本体14に係止されている第１収納部本体14から第１蓋体16を開放するための把手部24が設けられている。第１収納部12の把手部24は、後方に弾性部材で付勢されて前後方向に移動可能に設けられている。第１収納部12の把手部24には、後方に突出している突出部を有する爪部26が形成されている。把手部24の爪部26が第１収納部本体14に係合ことで第１収納部本体14に第１蓋体16が係止される。把手部24を前方に押圧して把手部24が前方に移動して把手部24の爪部26と第１収納部本体14との係合が解除されることで第１収納部本体14から第１蓋体16が開放される。
【００１５】
第１収納部本体14の上面部の前部には、第１収納部本体14の上面部から上方に突出して内部空間を有するバルブカバー28が固設されている。第１収納部本体14のバルブカバー28には、一端部にバルブを有するルーフコンソールハーネス30のバルブ部32が内部空間に侵入するように固定されている。ルーフコンソールハーネス30には、車両ハーネスが接続されている。
【００１６】
ルーフコンソール本体11における第１収納部12の前方には、補助バックミラー34が設けられている。補助バックミラー34は、後席部を確認することができる鏡面部36、鏡面部36を保持する鏡面保持部38、及び鏡面保持部38を略垂直面内に回動可能であってルーフコンソール本体11側に折り畳めるように支持するステー部40から構成されている。補助バックミラー34のステー部40は、図２における矢視Ｘである図４に示すように、略水平面内で回動可能にルーフコンソール本体11に支持されている。尚、補助バックミラー34の鏡面部36の曲率は、車両バックミラー41の鏡面部の曲率と比較して小さく形成されている。
【００１７】
ルーフコンソール本体11における補助バックミラー34の前方には、第２収納部42が形成されている。第２収納部42は、下面部が開口可能である略矩形箱状に形成されている。第２収納部42は、下面部を開口する略矩形箱状に形成されている第２収納部本体44、及び第２収納部42の下面部である第２蓋体46とから構成されている。
【００１８】
ルーフコンソール本体11における第２収納部42の前方には、室内灯48がルーフコンソール本体11に設けられている。室内灯48は、バルブを有する室内灯本体50、及び室内灯48の下面部を形成するルームライトレンズ52から構成されている。
【００１９】
ルーフコンソール11の前方には、フロントガラス54及びフロントガラス54に固設されている車両バックミラー41が設けられている。
【００２０】
次に、以上のように構成されている車両のルーフコンソール10を車両に取り付ける一手順について説明する。図５乃至図３０は、車両のルーフコンソール10を車両に取り付ける一手順について説明するための図である。
【００２１】
最初に、図５に示すように、車両に標準装備されているルーフコンソール60（上記構成における第２収納部42及び室内灯48に相当）のルームライトレンズ62をルーフコンソール本体61から取り外してルーフコンソール60を車両天井部Ｂに固定しているボルト64を取り外す（手順１）。尚、ルームライトレンズ62は、ルーフコンソール本体61にルームライトレンズ62に形成されている爪部66がルーフコンソール60に形成されている凹部68に係合することでルーフコンソール本体61に固定されているので、ルームライトレンズ62の爪部66とルーフコンソール60の凹部68との係合を解除してルームライトレンズ62をルーフコンソール本体61から取り外す。
【００２２】
次いで、図６に示すように、車両天井部Ｂからルーフコンソール60を取り外す（手順２）。尚、ルーフコンソール60に形成されている収納部70の下面を開閉する蓋体72を開いてルーフコンソール60を車両天井部Ｂに固定しているボルト74を取り外すと共に、ルーフコンソール60に接続されている車両ハーネス76，78を取り外すことで車両天井部Ｂからルーフコンソール60を取り外す。
【００２３】
次いで、図７に示すように、ヒーターコントロールスイッチパネル82を車両天井部Ｂから取り外す（手順３）。尚、ヒーターコントロールスイッチパネル82は、クリッブ部84及び爪部86が車両天井部Ｂに係合することで車両天井部Ｂに固定されているので、クリッブ部84及び爪部86と車両天井部Ｂとの係合を解除すると共に、ヒーターコントロールスイッチパネル82に接続されている車両ハーネス87を取り外してヒーターコントロールスイッチパネル82を車両天井部Ｂから取り外す。
【００２４】
次いで、図８に示すように、車両にオプション装備されているリア席モニター80を車両天井部Ｂから取り外すと共に、リア席モニター80に接続されている車両ハーネス90をリア席モニター80から取り外す（手順４）。尚、リア席モニター80は、車両天井部Ｂにボルト88で固定されているので車両天井部Ｂからボルト88を取り外すことでリア席モニター80を車両天井部Ｂから取り外す。
【００２５】
次いで、図９に示すように、型紙本体92から第１型紙部94及び第２型紙部96をハサミ等で切り取る（手順５）。
【００２６】
次いで、図１０に示すように、第１型紙部94を車両天井部Ｂからルーフコンソール60を取り外したルーフコンソール開口部98の後端部に第１型紙部94の矢印が前方を指すように合わせて粘着テープ等で固定すると共に、型紙本体92から第１型紙部94を切り取った線上に沿って車両天井面であるルーフライニング97にサインペン等で線を引いて印93，95を付ける（手順６）。
【００２７】
次いで、図１１に示すように、第２型紙部96を車両天井部Ｂからヒーターコントロールスイッチパネル82及びリア席モニター80を取り外したヒーターコントロールスイッチパネル開口部100の前端部に第２型紙部96の矢印が前方を指すように合わせて粘着テープ等で固定すると共に、型紙本体92から第２型紙部96を切り取った線上に沿って車両天井面であるルーフライニング97にサインペン等で線を引いて印101を付ける（手順７）。
【００２８】
次いで、図１２に示すように、手順６で付けた印95及び手順７で付けた印101の左右端部にスケール等を合わせてルーフライニング97にサインペン等で線を引いて印102，102を付けると共に、手順６で付けた印95から所定距離の位置に印104，104を付ける（手順８）。
【００２９】
次いで、図１３に示すように、手順８で付けた印104，104にスケール等を合わせて左右間にサインペン等で線を引いて印106を付ける（手順９）。
【００３０】
次いで、図１４に示すように、手順７で付けた印101、手順８で付けた印102，102、及び手順９で付けた印106で囲まれた内側のルーフライニング107をカッター等で切り取る（手順10）。
【００３１】
次いで、図１５に示すように、手順10で切り取ったルーフライニング107の開口部であるルーフライニング開口部108の前端部と手順６で付けた印95とで囲まれた内側のルーフライニング109をカッター等で切り取る（手順11）。尚、車両ハーネス110が、ルーフコンソール開口部98の後端部と手順６で付けた印95との前後方向間のルーフライニング97の上方に左右方向に延びている。
【００３２】
次いで、図１６に示すように、手順11で切り取ったルーフライニング109の開口部をルーフライニング開口部108に含むルーフライニング開口部112から車両ハーネス110を固定しているテープ114を剥がして車両ハーネス110を車両後方に引っ張ると共に、ルーフコンソール開口部98の後端部と手順６で付けた印93とで囲まれた内側のルーフライニング116をカッター等で切り取る（手順12）。
【００３３】
次いで、図１７に示すように、車両ハーネス110を、手順12で切り取ったルーフライニング116の開口部をルーフコンソール開口部98に含むルーフコンソール開口部118から車両ハーネス110が見えないようにエプトシーラー（登録商標）120等で固定する（手順13）。
【００３４】
次いで、図１８に示すように、ルーフライニング開口部112から上方に見える車両天井部Ｂの左右方向に延びているルーフアーチ120のルーフアーチ開口部121にスクリューグロメット122を取り付ける（手順14）。
【００３５】
次いで、図１９に示すように、ルーフライニング開口部112とヒーターコントロールスイッチパネル開口部100との間のルーフライニング97の上方に左右方向に延びている車両ハーネス124を固定しているテープ126を剥がすと共に、ルーフライニング開口部112とヒーターコントロールスイッチパネル開口部100との間のルーフライニング97の上方に位置する車両ブラケット128を固定している車両ボルト130を弛める（手順15）。
【００３６】
次いで、図２０に示すように、車両前後方向に長尺となるように延びていると共に後端部に後方が開口するＵ字状の溝が形成され前端部が下方に傾斜して屈曲しているルーフコンソールブラケット132，134を、後部が車両ハーネス124の下側となると共に車両ブラケット128の裏側にＵ字状の溝に車両ボルト130の脚部が侵入するようにして車両ボルト130を締めることで固定すると共に、前部をタッピングスクリュー136にて手順14でルーフアーチ120に取り付けたスクリューグロメット122に固定する（手順16）。
【００３７】
次いで、図２１に示すように、ルーフコンソールブラケット132，134の上面にエプトシーラー（登録商標）138等を貼り付けて車両ハーネス124を固定する（手順17）。尚、エプトシーラー（登録商標）138等で貼り付ける面は、貼り付ける前に予め脱脂洗浄剤で清掃する。
【００３８】
次いで、図２２に示すように、ルーフコンソールハーネス30に設けられているヒューズケース142にヒューズラベル144を貼り付けると共に、ルーフコンソールハーネス30に車両ハーネス87を接続する（手順18）。
【００３９】
次いで、図２３に示すように、ルーフコンソールハーネス30と車両ハーネス87との接続部をヒーターコントロールスイッチパネル開口部100の右方におけるルーフライニング97の裏面にエプトシーラー（登録商標）146等を貼り付けて固定する（手順19）。尚、ルーフコンソールハーネス30は、バルブ部32が前方となるように通線する。
【００４０】
次いで、図２４に示すように、ルーフコンソールハーネス30をルーフコンソールブラケット132の裏面に沿って通線してエプトシーラー（登録商標）150等で貼り付けて固定すると共に、更にルーフコンソールハーネス30を前方に通線してルーフアーチ120の表面にエプトシーラー（登録商標）150等で貼り付けて固定する（手順20）。尚、エプトシーラー（登録商標）150等で貼り付ける面は、貼り付ける前に予め脱脂洗浄剤で清掃する。
【００４１】
次いで、図２５に示すように、ルーフコンソール本体11にバルブカバー28を取り付けると共に、バルブカバー28にルーフコンソールハーネス30のバルブ部32を取り付ける（手順21）。
【００４２】
次いで、図２６に示すように、ルーフコンソール本体11上面部に形成されているルーフコンソール本体開口部156，158にルーフコンソールブラケット132，134の先端部を引っ掛ける（手順22）。
【００４３】
次いで、図２７に示すように、ルーフコンソール本体11をルーフコンソールブラケット132，134にタッピングスクリュー160で固定する（手順23）。
【００４４】
次いで、図２８に示すように、ダブルフェイスシール162の離型紙164を剥がしてカラー166をルーフコンソール60に貼り付ける（手順24）。
【００４５】
次いで、図２９に示すように、ルーフコンソール本体61に車両ハーネス76，78を接続すると共に、ルーフコンソール本体開口部168にルーフコンソール60を挿入してボルト170で車両天井部Ｂに固定する（手順25）。尚、手順１で取り外したルームライトレンズ62をルーフコンソール本体61に取り付ける。
【００４６】
次いで、図３０に示すように、ヒーターコントロールスイッチパネル82に車両ハーネス87を接続すると共に、ヒーターコントロールスイッチパネル開口部100にヒーターコントロールスイッチパネル82に取り付ける（手順26）。
【００４７】
以上、本実施形態によれば、車室天井部Ｂの車両前方側に装着され第１収納部12が形成され室内灯48が設けられている車両Ａのルーフコンソール10において、室内灯48の車両後方側のルーフコンソール本体11における部位に補助バックミラー34が設けられているため、乗員が補助バックミラー34を使用する際における視線移動を少なくすることができると共に、車両Ａのルーフコンソール10に設けられている室内灯48を使用している場合に光が補助バックミラー34に反射することがなく補助バックミラー34の良好な使用を確保することができる。
【００４８】
また、本実施形態によれば、バックミラーは、車両後席部を確認するための補助バックミラー34であると共に、車両後方を確認するための車両バックミラー41に対して鏡面の曲率が小さく形成されているため、車両後席部を容易に確認することができると共に、小さい鏡面で広範囲の視野を得ることができて補助バックミラー34のコンパクト化を図ることができる。
【００４９】
また、本実施形態によれば、補助バックミラー34は、ルーフコンソール本体11に移動可能に設けられているため、補助バックミラー34の不使用時には補助バックミラー34を移動して室内空間に対して補助バックミラー34による突出部が形成されることをなくすことができる。
【００５０】
尚、本発明は上記実施形態に限定されるものではなく、本発明の要旨の範囲内において種々の変形実施が可能である。例えば、本実施形態の車両のルーフコンソール10では、ルーフコンソール本体11に第２収納部42及び室内灯48（ルーフコンソール60）が一体的に設けられているが、ルーフコンソール本体11の車両前方側に第２収納部42及び室内灯48を設けることができる。
【図面の簡単な説明】
【００５１】
【図１】本実施形態のルーフコンソールが車両に搭載されている状態を示す斜視図である。
【図２】本実施形態のルーフコンソールの縦断面図である。
【図３】本実施形態のルーフコンソールの車室から上方を視た場合の平面図である。
【図４】図１の補助バックミラーの矢視Ｘを示す平面図である。
【図５】車両のルーフコンソールを車両に取り付ける一手順における手順１について説明するための図である。
【図６】車両のルーフコンソールを車両に取り付ける一手順における手順２について説明するための図である。
【図７】車両のルーフコンソールを車両に取り付ける一手順における手順３について説明するための図である。
【図８】車両のルーフコンソールを車両に取り付ける一手順における手順４について説明するための図である。
【図９】車両のルーフコンソールを車両に取り付ける一手順における手順５について説明するための図である。
【図１０】車両のルーフコンソールを車両に取り付ける一手順における手順６について説明するための図である。
【図１１】車両のルーフコンソールを車両に取り付ける一手順における手順７について説明するための図である。
【図１２】車両のルーフコンソールを車両に取り付ける一手順における手順８について説明するための図である。
【図１３】車両のルーフコンソールを車両に取り付ける一手順における手順９について説明するための図である。
【図１４】車両のルーフコンソールを車両に取り付ける一手順における手順10について説明するための図である。
【図１５】車両のルーフコンソールを車両に取り付ける一手順における手順11について説明するための図である。
【図１６】車両のルーフコンソールを車両に取り付ける一手順における手順12について説明するための図である。
【図１７】車両のルーフコンソールを車両に取り付ける一手順における手順13について説明するための図である。
【図１８】車両のルーフコンソールを車両に取り付ける一手順における手順14について説明するための図である。
【図１９】車両のルーフコンソールを車両に取り付ける一手順における手順15について説明するための図である。
【図２０】車両のルーフコンソールを車両に取り付ける一手順における手順16について説明するための図である。
【図２１】車両のルーフコンソールを車両に取り付ける一手順における手順17について説明するための図である。
【図２２】車両のルーフコンソールを車両に取り付ける一手順における手順18について説明するための図である。
【図２３】車両のルーフコンソールを車両に取り付ける一手順における手順19について説明するための図である。
【図２４】車両のルーフコンソールを車両に取り付ける一手順における手順20について説明するための図である。
【図２５】車両のルーフコンソールを車両に取り付ける一手順における手順21について説明するための図である。
【図２６】車両のルーフコンソールを車両に取り付ける一手順における手順22について説明するための図である。
【図２７】車両のルーフコンソールを車両に取り付ける一手順における手順23について説明するための図である。
【図２８】車両のルーフコンソールを車両に取り付ける一手順における手順24について説明するための図である。
【図２９】車両のルーフコンソールを車両に取り付ける一手順における手順25について説明するための図である。
【図３０】車両のルーフコンソールを車両に取り付ける一手順における手順26について説明するための図である。
【符号の説明】
【００５２】
10  ルーフコンソール
11  ルーフコンソール本体
12  第１収納部（収納部）
34  補助バックミラー（バックミラー）
41  車両バックミラー
48  室内灯
Ａ  車両
Ｂ  車室天井部
【図１】
2005313699.tif 000003
【図２】
2005313699.tif 000004
【図３】
2005313699.tif 000005
【図４】
2005313699.tif 000006
【図５】
2005313699.tif 000007
【図６】
2005313699.tif 000008
【図７】
2005313699.tif 000009
【図８】
2005313699.tif 000010
【図９】
2005313699.tif 000011
【図１０】
2005313699.tif 000012
【図１１】
2005313699.tif 000013
【図１２】
2005313699.tif 000014
【図１３】
2005313699.tif 000015
【図１４】
2005313699.tif 000016
【図１５】
2005313699.tif 000017
【図１６】
2005313699.tif 000018
【図１７】
2005313699.tif 000019
【図１８】
2005313699.tif 000020
【図１９】
2005313699.tif 000021
【図２０】
2005313699.tif 000022
【図２１】
2005313699.tif 000023
【図２２】
2005313699.tif 000024
【図２３】
2005313699.tif 000025
【図２４】
2005313699.tif 000026
【図２５】
2005313699.tif 000027
【図２６】
2005313699.tif 000028
【図２７】
2005313699.tif 000029
【図２８】
2005313699.tif 000030
【図２９】
2005313699.tif 000031
【図３０】
2005313699.tif 000032